(57)【要約】【課題】  文字列情報の通知先サーバを変更する場合においても、選択的又は自動的にサーバを指定することにより手入力作業を省略し、通知手順を簡略化する。【解決手段】  任意の文字列情報の後部に通知用ドメインを付加した接続先ドメインに接続することにより、接続先に前記文字列情報を通知するための方法において、前記通知用ドメインの入力を受け付けてデータ格納領域に保存する、保存された通知用ドメインをデータ格納領域から読み出す、保存された複数の通知用ドメインの中から使用する通知用ドメインを任意に又は自動的に選択する、選択された通知用ドメインを前記文字列情報の後部に付加して前記接続先ドメインを生成する、生成した接続先ドメインに接続する、以上の手順を実行することを特徴とする。【選択図】  図１
2006245974.tif 000002
【特許請求の範囲】
【請求項１】
任意の文字列情報の後部に通知用ドメインを付加した接続先ドメインに接続することにより、接続先に前記文字列情報を通知するための方法において、
前記通知用ドメインの入力を受け付けてデータ格納領域に保存するステップ、
保存された通知用ドメインをデータ格納領域から読み出すステップ、
保存された複数の通知用ドメインの中から使用する通知用ドメインを任意に又は自動的に選択するステップ、
選択された通知用ドメインを前記文字列情報の後部に付加して前記接続先ドメインを生成するステップ、及び
生成した接続先ドメインに接続するステップ
を実行することを特徴とする通信方法。
【請求項２】
請求項１記載の通信方法において、通知先を切り替えるため、
前記データ格納領域から前記保存された通知用ドメインを再度読み出すステップ、
読み出した通知用ドメインから次の通知先ドメインを選択させるステップ、
接続済みの接続先ドメインからその通知先ドメインを取り除き、文字列情報を識別するステップ、
該文字列情報の後部に前記次の通知先ドメインを付加することにより、新たな接続先ドメインを生成するステップ、及び
該接続先ドメインに接続するステップ
を更に実行することを特徴とする通信方法。
【請求項３】
任意の文字列情報の後部に通知用ドメインを付加した接続先ドメインに接続することにより、接続先に前記文字列情報を通知するための通信装置において、
前記通知用ドメインの入力を受け付けてデータ格納領域に保存する手段と、
保存された通知用ドメインをデータ格納領域から読み出す手段と、
保存された複数の通知用ドメインの中から使用する通知用ドメインを選択し又は自動的に特定する手段と、
読み出した通知用ドメインを前記文字列情報の後部に付加して接続先ドメインを生成する手段とを備えたことを特徴とする通信装置。
【請求項４】
任意の文字列情報の後部に通知用ドメインを付加した接続先ドメインに接続することにより接続先に前記文字列情報を通知する方法をコンピュータで実施するためのプログラムであって、通知用ドメインの入力を受け付けてデータ格納領域に保存する処理と、保存された通知用ドメインをデータ格納領域から読み出す処理と、保存された複数の通知用ドメインの中から使用する通知用ドメインを選択又は自動的に特定する処理と、読み出した通知用ドメインを前記文字列情報の後部に付加して接続先ドメインを生成する処理とをコンピュータに実行させることを特徴とするコンピュータプログラム。
【発明の詳細な説明】
【技術分野】
【０００１】
本発明は、接続元から接続先へ文字列情報を通知する手順を簡易化する方法及び装置に関する。
【背景技術】
【０００２】
ＰＣ（パソコン）等の端末から電子メール等の文字列情報を接続先ＰＣ等へ通知したいときには、その文字列情報の後部に接続先のドメイン名（通知用ドメイン）を付加した接続先ドメインに対して接続することにより、当該文字列情報を接続先に送付することが知られている（例えば、下記特許文献１）。
【０００３】
例えば、ＨＴＴＰ接続の場合は、通知用ドメインを“notice.com”とすると、“string.info” という文字列情報を送りたいとき、この文字列情報の後部に通知用ドメインを付加した“sting.info.notice.com”を接続先ドメインとすれば、接続先ＵＲＬ（又は接続先アドレス）は、この接続先ドメインを含む“http://sting.info.notice.com”となる。
【０００４】
接続元が、ブラウザ等により上記ＵＲＬにアクセスすると、接続先ドメインの名前解決が行われる。ドメイン名の名前解決は、後部（右側）から順次解釈されるので、接続先ドメインのトップレベル・ドメイン“com”を管理するルートＤＮＳサーバにアクセスして、通知用ドメインである“notice.com”を管理するＤＮＳサーバのＩＰアドレスを得る。この“notice.com”を管理するＤＮＳサーバは、第３レベルのドメイン名以下をワイルドカード指定でレコード登録することにより、“*.notice.com”（＊は、どのような文字列でも該当するワイルドカードを表す）といった名前解決が可能となる。
【０００５】
以上のＤＮＳサーバの構成により、「名前解決」要求は、文字列情報にどのような文字列が指定された場合でも、接続先のＩＰアドレスを得ることができる。
【０００６】
接続先のＩＰアドレスを得た接続元は、当該接続先ＩＰアドレスに対して接続要求を行う。接続の確立後、接続先に対して接続先ドメイン“string.info.notice.com”をヘッダ情報により送信する。接続先は、受信した接続先ドメインから通知用ドメインを取り除いた“string.info”部分を、通知された文字列情報として認識する。
【０００７】
【特許文献１】特開２００１−３４５８３３号公報
【発明の開示】
【発明が解決しようとする課題】
【０００８】
従来のドメインを用いた文字列情報の通知方法では、上記のように文字列情報に通知用ドメインを付加した接続先ドメインを手動で入力する必要がある。この通知用ドメインを追加した形態の接続先ドメインをブックマークやアドレス帳に記録しておくことにより、２回目以降の接続時には手入力を省略できるが、通知する文字列情報を別のサーバヘ通知したい場合には、文字列情報と通知先サーバ（通知用ドメイン）を改めて手入力しなければならない。
【０００９】
本発明の目的は、文字列情報の通知先サーバを変更する場合においても、選択的又は自動的にサーバを指定することにより手入力作業を省略し、通知手順を簡略化する方法及び装置を提供することである。
【課題を解決するための手段】
【００１０】
本発明の方法は、任意の文字列情報の後部に通知用ドメインを付加した接続先ドメインに接続することにより、接続先に前記文字列情報を通知する方法において、通知用ドメインの入力を受け付けてデータ格納領域に保存するステップと、保存された通知用ドメインをデータ格納領域から読み出すステップと、保存された複数の通知用ドメインの中から使用する通知用ドメインを選択又は自動的に特定するステップと、読み出した通知用ドメインを前記文字列情報の後部に付加して接続先ドメインを生成するステップとを特徴とする。
【００１１】
本発明の装置は、任意の文字列情報の後部に通知用ドメインを付加した接続先ドメインに接続することにより、接続先に前記文字列情報を通知するための装置において、前記通知用ドメインの入力を受け付けてデータ格納領域に保存する手段と、保存された通知用ドメインをデータ格納領域から読み出す手段と、保存された複数の通知用ドメインの中から使用する通知用ドメインを選択し又は自動的に特定する手段と、読み出した通知用ドメインを前記文字列情報の後部に付加して接続先ドメインを生成する手段とを備えたことを特徴とする。
【００１２】
本発明の具体的態様においては、文字列情報は接続元又は通知先から接続可能なアドレス又はドメインの情報を含む。また、データ格納領域は、文字列情報部分（通知したい文字列や二次接続先のアドレス）と通知先ドメイン部分をそれぞれ保存する領域に分けられる。これにより、接続先ドメインを文字列情報部分と通知先ドメイン部分とに分割管理することができる。
【００１３】
本発明によれば、上記方法をコンピュータで実施するためのプログラムが提供される。それは、任意の文字列情報の後部に通知用ドメインを付加した接続先ドメインに接続することにより接続先に前記文字列情報を通知する方法をコンピュータで実施するためのプログラムであって、通知用ドメインの入力を受け付けてデータ格納領域に保存する処理と、保存された通知用ドメインをデータ格納領域から読み出す処理と、保存された複数の通知用ドメインの中から使用する通知用ドメインを選択又は自動的に特定する処理と、読み出した通知用ドメインを前記文字列情報の後部に付加して接続先ドメインを生成する処理とをコンピュータに実行させることを特徴とする。
【００１４】
また、本発明の装置は、インターネットに接続可能なＰＣや、携帯電話、ＰＨＳ、電子家電等の製品、通信経路となるサーバ機又は通信機器に上記コンピュータプログラムを格納することで構成することができる。
【発明の効果】
【００１５】
本発明によれば、上記のように文字列情報を通知する際に付加する通知先ドメインを予めデータ格納領域に保存（登録）しておくことにより、新規の文字列情報を通知する場合に通知先ドメインを選択的又は自動的に付加できる。
【００１６】
また、既に一つの接続先ドメインが生成されている場合においても、接続先ドメインの文字列情報のみを切り出し、その後部に別の通知先ドメインを選択的又は自動的に付加することが可能となる。
【発明を実施するための最良の形態】
【００１７】
図１は、本発明の方法を実施するコンピュータプログラムを格納したＰＣにより文字列情報をＨＴＴＰで通知するときの処理手順を示す。これは、接続元のＰＣ端末（クライアント）１から文字列情報を送信する通知先を選択指定して接続先ドメインを作成し、該接続先ドメインへの接続を行い、接続先ドメインへＨＴＴＰ要求を送信することで、文字列情報を通知先サーバ３ヘ通知するものである。
【００１８】
本発明による通信手順は、次のとおりである。ここで、送りたい文字列情報を“string.info”、通知用ドメインを“notice.com”とする。
(1) 端末１では、通知予定の通知先ドメインを、自己（当該ＰＣ）或いは他のＰＣ等の記憶部に設けた通知先ドメイン保存領域２へ予め登録しておく。通知先ドメイン保存領域２には、登録された通知先ドメインのリストが格納される。
(2) 端末１から通知を行うとき、通知する文字列情報「sting.info」を入力する。
(3) 端末１は、登録済みの通知先ドメインリストを通知先ドメイン保存領域２から呼び出す。
(4) 端末１は、読み出した通知先ドメインのリストを表示部に表示することにより、今回の通知先ドメインを利用者に選択させる。
(5) 通知先ドメイン「notice.com」が選択されると、これを作成済みの文字列情報の後部に付加することにより、接続先ドメイン「sting.info.notice.com」を作成する。
(6) 端末１から接続先ドメインに対して接続要求を行い、通知先サーバ３への接続確立後、ＨＴＴＰ要求を送信する。端末１では、予めＤＮＳサーバのワイルドカード指定で「*.notice.com」に通知先サーバ３のＩＰアドレスを登録しておくことにより、接続要求時に、端末１は自動的に通知先サーバ３への接続を試みることができる。
(7) 通知先サーバ３では、ＤＮＳサーバのワイルドカード指定で「*.notice.com」宛の要求を全て受け付ける。
(8) 通知先サーバ３は、ＨＴＴＰ要求のヘッダ情報から接続先ドメイン「sting.info.notice.com」を取得する。
(9) 通知先サーバ３は、接続先ドメインから通知先ドメイン「notice.com」を除去することにより、文字列情報「sting.info」を取得する。
(10)通知先サーバ３は、端末１の要求に対する応答を送信する。
(11)端末１は、通知先サーバ３からの応答結果を受信する。
【００１９】
この通信方法によれば、送信元では、各種サービスを提供している通知先サーバを選択する作業のみで容易にデータ送信することができる。通信にＳＭＴＰプロトコルを採用した場合は、メール送信時に送信先アドレスを通知先サーバに通知する作業を容易に行える。
【００２０】
例えば、通知先サーバとして翻訳サーバを選択することにより、送信元では翻訳内容を適時に指定した相手に中継送信することができる。
【００２１】
また、接続中のぺージのＵＲＬをブックマーク用サーバに通知する処理をワンクリックで行える。
【００２２】
次に、図２は、通知先を切り替えて送信する場合の処理を示す。この場合の手順は、次のとおりである。
【００２３】
初めに、図１の(1)と同様、(21) 端末１では、通知予定の通知先ドメインを通知先ドメイン保存領域２へ予め登録しておく。通知先ドメイン保存領域２には、登録された通知先ドメインのリストが格納される。その後、
(22)端末１から通知を行うため、図１の(2)〜(11)と同様の手順で、接続先ドメイン「sting.info.notice.com」への接続を行い、接続先ドメインへのＨＴＴＰ要求を送信し、文字列情報を通知先サーバ３ヘ通知し、通知先サーバ３からの応答結果を受信する処理を行う。この処理で、端末１は接続先ドメイン「sting.info.notice.com」へ接続済みとなっている。
(23)端末１は、通知先を切り替える（他の通知先サーバ４へ通知する）ため、登録済みの通知先ドメインリストを通知先ドメイン保存領域２から呼び出す。
(24)端末１は、読み出した通知先ドメインのリストを表示部に表示することにより、次の通知先ドメインを利用者に選択させる。
(25)次の通知先ドメイン「notice.net」が選択されると、接続済みの接続先ドメイン「sting.info.notice.com」からその通知先ドメイン「notice.com」を取り除き、文字列情報「string.info」を識別する。
(26)この文字列情報の後部に次の通知先ドメイン「notice.net」を付加することにより、新たな接続先ドメイン「sting.info.notice.net」を作成する。
(27)この接続先ドメインに対して端末１から接続要求を行い、通知先サーバ４への接続確立後、ＨＴＴＰ要求を送信する。端末１では、予めＤＮＳサーバのワイルドカード指定で「*.notice.net」に通知先サーバ４のＩＰアドレスを登録しておくことにより、接続要求時に、端末１は自動的に通知先サーバ４への接続を試みることができる。
(28)通知先サーバ４では、ＤＮＳサーバのワイルドカード指定で「*.notice.net」宛の要求を全て受け付ける。
(29)通知先サーバ４は、ＨＴＴＰ要求のヘッダ情報から接続先ドメイン「sting.info.notice.net」を取得する。
(30)通知先サーバ４は、接続先ドメインから通知先ドメイン「notice.net」を除去することにより、文字列情報「sting.info」を取得する。
(31)通知先サーバ４は、端末１の要求に対する応答を送信する。
(32)端末１は、通知先サーバ４からの応答結果を受信する。
【００２４】
この方法によれば、複数の通知先に同一の情報を送信する際には、利用者（送信者）は、通知先を容易に指定することができる。
【図面の簡単な説明】
【００２５】
【図１】本発明の方法によりＨＴＴＰデータを送信する場合の処理手順を示す図。
【図２】本発明の方法により通知先を切り替えてデータ送信する場合の処理手順を示す図。
【符号の説明】
【００２６】
１…接続元端末、２…通知先ドメイン保存領域、３，４…通知先サーバ。
【図１】
2006245974.tif 000003
【図２】
2006245974.tif 000004